【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
第１のビデオ信号フォーマットのビデオ信号を受信するステップと、
前記受信したビデオ信号の前記第１のビデオ信号フォーマットに関連付けられた少なくとも１つのパラメータを判定するステップと、
ディスプレイ装置に関連付けられた少なくとも１つのパラメータを判定するステップと、
前記第１のビデオ信号に関連付けられた前記少なくとも１つのパラメータおよび前記ディスプレイ装置に関連付けられた前記少なくとも１つのパラメータに基づいて、前記受信した信号を第２のビデオ・フォーマットの中間ビデオ信号に変換するステップと、
前記ディスプレイ装置に関連付けられた前記少なくとも１つのパラメータに基づいて、前記中間ビデオ信号をビデオ・ディスプレイ信号に変換するステップと、
を含む方法。
【請求項２】
後で前記ディスプレイ装置上に表示するために、前記中間ビデオ信号をメモリに記憶するステップをさらに含む、請求項１に記載の方法。
【請求項３】
前記ディスプレイ装置に前記ビデオ・ディスプレイ信号を供給するステップをさらに含む、請求項１に記載の方法。
【請求項４】
前記受信した入力信号は、第１の単一フレーム・フォーマットを有するビデオ信号であり、前記中間ビデオ信号は、左眼ビューおよび右眼ビューを表す一対のステレオスコピック画像信号であり、前記ビデオ・ディスプレイ信号は、第２の単一フレーム・フォーマットを有するビデオ信号である、請求項１に記載の方法。
【請求項５】
前記第１の単一フレーム・フォーマットおよび前記第２の単一フレーム・フォーマットは、オーバー／アンダー、チェッカーボード、ライン・インタリーブ、時間インタリーブ、サイドバイサイド、アナグリフ、およびクインカンクスのうちの少なくとも１つである、請求項４に記載の方法。
【請求項６】
前記受信した入力信号は、単一フレームのビデオ信号であり、前記ディスプレイ装置は、３次元ディスプレイ装置であり、前記受信した信号を中間ビデオ信号に変換するステップは、前記単一フレームのビデオ信号を少なくとも２つの画像信号を含む中間ビデオ信号に変換するステップを含む、請求項１に記載の方法。
【請求項７】
前記受信した入力信号は、２次元ビデオ・コンテンツと、デプスマップ・コンテンツおよびディスパリティマップ・コンテンツの少なくとも一方とを含むビデオ信号であり、前記ディスプレイ装置は、２次元ディスプレイ装置であり、前記中間信号をビデオ表示信号に変換するステップは、前記ビデオ・ディスプレイ信号から、デプスマップ・コンテンツおよびディスパリティマップ・コンテンツのうちの少なくとも一方を除去するステップを含む、請求項１に記載の方法。
【請求項８】
前記受信した入力信号は、３次元ビデオ信号であり、前記ディスプレイ装置は、２次元ディスプレイ装置であり、前記中間ビデオ信号をビデオ・ディスプレイ信号に変換するステップは、前記３次元ビデオ信号をアナグリフ・ビデオ信号に変換するステップを含む、請求項１に記載の方法。
【請求項９】
前記受信した入力信号は、マルチビュー・ビデオ信号であり、前記ディスプレイ装置は、３次元ディスプレイ装置であり、前記受信した信号を中間信号に変換するステップは、前記マルチビュー・ビデオ信号から左眼ビュー信号および右眼ビュー信号を選択するステップを含む、請求項１に記載の方法。
【請求項１０】
前記受信した入力信号は、２次元ビデオ信号であり、前記ディスプレイ装置は、２次元ディスプレイ装置であり、前記受信したビデオ信号を中間信号に変換するステップは、前記２次元ビデオ信号をステレオスコピック３次元信号に変換するステップを含み、前記中間信号をビデオ・ディスプレイ信号に変換するステップは、前記ステレオスコピック３次元信号をアナグリフ・ビデオ信号に変換するステップを含む、請求項１に記載の方法。
【請求項１１】
前記ディスプレイ装置の少なくとも１つのパラメータを判定するステップは、前記ディスプレイ装置のための少なくとも１つのディスプレイ・モードを判定するステップを含む、請求項１に記載の方法。
【請求項１２】
前記ディスプレイ装置の少なくとも１つのパラメータを判定するステップは、
テスト・パターンを表示するステップと、
前記テスト・パターンに基づいて視聴者からの応答をリクエストするステップと、を含む、請求項１に記載の方法。
【請求項１３】
第１のビデオ信号フォーマットのビデオ信号を受信する手段と、
前記受信したビデオ信号の前記第１のビデオ信号フォーマットに関連付けられた少なくとも１つのパラメータを判定する手段と、
ディスプレイ装置に関連付けられた少なくとも１つのパラメータを判定する手段と、
前記第１のビデオ信号に関連付けられた前記少なくとも１つのパラメータおよび前記ディスプレイ装置に関連付けられた前記少なくとも１つのパラメータに基づいて、前記受信した信号を第２のビデオ・フォーマットの中間ビデオ信号に変換する手段と、
前記ディスプレイ装置に関連付けられた前記少なくとも１つのパラメータに基づいて、前記中間ビデオ信号をビデオ・ディスプレイ信号に変換する手段と、
を含む装置。
【請求項１４】
後で前記ディスプレイ装置上に表示するために、前記中間ビデオ信号をメモリに記憶する手段をさらに含む、請求項１３に記載の装置。
【請求項１５】
前記ディスプレイ装置に前記ビデオ・ディスプレイ信号を供給する手段をさらに含む、請求項１３に記載の装置。
【請求項１６】
前記受信した入力信号は、第１の単一フレーム・フォーマットを有するビデオ信号であり、前記中間ビデオ信号は、左眼ビューおよび右眼ビューを表す一対のステレオスコピック画像信号であり、前記ビデオ・ディスプレイ信号は、第２の単一フレーム・フォーマットを有するビデオ信号である、請求項１３に記載の装置。
【請求項１７】
前記第１の単一フレーム・フォーマットおよび前記第２の単一のフレーム・フォーマットは、オーバー／アンダー、チェッカーボード、ライン・インタリーブ、時間インタリーブ、サイドバイサイド、アナグリフ、およびクインカンクスのうちの少なくとも１つである、請求項１６に記載の装置。
【請求項１８】
前記受信した入力信号は、２次元ビデオ信号であり、前記ディスプレイ装置は、３次元ディスプレイ装置であり、前記受信した信号を中間ビデオ信号に変換する手段は、前記２次元ビデオ信号を一対のステレオスコピック画像信号に変換する手段を含む、請求項１３に記載の装置。
【請求項１９】
前記受信した入力信号は、２次元ビデオ・コンテンツ信号および３次元ビデオ・コンテンツ信号の少なくとも一方であり、前記ディスプレイ装置はマルチビュー・ディスプレイ装置であり、前記中間信号をビデオ・ディスプレイ信号に変換する手段は、マルチビュー・ビデオ信号を生成する手段を含む、請求項１３に記載の装置。
【請求項２０】
前記受信した入力信号は、マルチビュー・ビデオ・コンテンツ信号であり、前記ディスプレイ装置は、３次元ディスプレイ装置であり、前記受信した信号を中間信号に変換する手段は、前記マルチビュー・ビデオ信号から左眼ビュー・コンテンツおよび右眼ビュー・コンテンツを生成する手段を含む、請求項１３に記載の装置。
【請求項２１】
前記受信した入力信号は、２次元ビデオ・コンテンツ信号および３次元ビデオ・コンテンツ信号の少なくとも一方であり、前記ディスプレイ装置は、２次元ディスプレイ装置であり、前記中間ビデオ信号をビデオ・ディスプレイ信号に変換する手段は、出力ビデオ信号をアナグリフ・ビデオ信号に変換する手段を含む、請求項１３に記載の装置。
【請求項２２】
前記ディスプレイ装置の少なくとも１つのパラメータを判定する手段は、前記ディスプレイ装置のための少なくとも１つのディスプレイ・モードを判定することを含む、請求項１３に記載の装置。
【請求項２３】
前記ディスプレイ装置の少なくとも１つのパラメータを判定する手段は、
テスト・パターンを表示する手段と、
前記テスト・パターンに基づいて視聴者からの応答をリクエストする手段と、を含む、請求項１３に記載の装置。
【請求項２４】
受信した信号を復号し、当該復号した信号をビデオ部分とオーディオ部分とに分離する入力ストリーム・プロセッサと、
前記入力ストリーム・プロセッサに結合されたコントローラであって、前記復号した信号の前記ビデオ部分の少なくとも１つの特性を判定し、かつディスプレイ装置の少なくとも１つの特性を判定する、前記コントローラと、
前記入力ストリーム・プロセッサおよび前記コントローラに結合されたビデオ信号処理回路であって、前記復号した信号の前記ビデオ部分の前記少なくとも１つの特性と、前記ディスプレイ装置の前記少なくとも１つの特性とに基づいて、前記復号した信号の前記ビデオ部分を第１のビデオ・フォーマットから第２のビデオ・フォーマットに変換し、さらに、前記第２のビデオ・フォーマットの前記第１の変換済のビデオ信号を第３のビデオ・フォーマットのディスプレイ出力信号に変換する、前記ビデオ信号処理回路と、
前記ディスプレイ装置に前記ディスプレイ出力信号を供給する、前記ビデオ信号処理回路およびコントローラに結合されたインタフェース回路と、
を含む、信号受信装置。